(57)【要約】【課題】  例えば暗証番号等の暗証情報が推測されにくく、しかも、暗証情報の入力操作が容易な暗証情報入力装置を提供する。【解決手段】  Ｓ１００にて選択された取引に本人確認が必要な場合には、暗証番号を要求する（Ｓ１２０：ＹＥＳ）。このとき、「０」〜「９」の１０個の数字をランダムに並べ替え、数字配列を決定する（Ｓ１３０）。そして、ボタン画像と共に、並べ替えた「０」〜「９」の数字を表示する（Ｓ１４０）。ここで特に、Ｓ１５０では、予定される桁数の暗証番号の入力が終了したか否かを判断し、入力が終了していないうちは（Ｓ１５０：ＮＯ）、数字の並べ替えは行われず、数字配列が維持される。【選択図】  図２
2011008427.tif 000002
【特許請求の範囲】
【請求項１】
情報を表示画面に表示可能であると共に前記表示画面へのタッチ操作を感知して情報を入力可能である表示入力手段と、
暗証情報の入力要求に際し、当該暗証情報の入力に用いられる予め定められた複数の記号をランダムに並べ替えて記号配列を決定する配列決定手段と、
前記配列決定手段にて決定された記号配列で、前記表示画面の所定位置に表示されるボタン画像に対応付けて前記記号を表示する表示制御手段と、を備え、
前記配列決定手段は、前記表示入力手段を介して前記暗証情報の入力が終了するまで、決定した記号配列を維持すること
を特徴とする暗証情報入力装置。
【請求項２】
請求項１に記載の暗証情報入力装置において、
前記暗証情報は、暗証番号であり、
前記複数の記号は、「０」〜「９」までの１０個の文字であること
を特徴とする暗証情報入力装置。
【請求項３】
請求項１又は２に記載の暗証情報入力装置において、
現金自動預け払い機に適用されること
を特徴とする暗証情報入力装置。
【請求項４】
情報を表示画面に表示可能であると共に前記表示画面へのタッチ操作を感知して情報を入力可能である表示入力手段を介し、暗証情報を入力する際に用いる暗証情報入力方法であって、次の手順（１）〜（３）の処理を含むことを特徴とする暗証情報入力方法。
（１）暗証情報の入力に用いられる予め定められた複数の記号をランダムに並べ替えて記号配列を決定する。
（２）決定された記号配列で、表示画面の所定位置に表示されるボタン画像に対応付けて記号を表示する。
（３）表示入力手段を介して暗証情報の入力が終了するまで、決定した記号配列を維持する。
【請求項５】
請求項４に記載の暗証情報入力方法において、
前記暗証情報は、暗証番号であり、
前記複数の記号は、「０」〜「９」までの１０個の数字であること
を特徴とする暗証情報入力方法。
【請求項６】
請求項４又は５に記載の暗証情報入力方法において、
現金自動預け払い機に適用されること
を特徴とする暗証情報入力方法。
【請求項７】
請求項１〜３のいずれか一項に記載の暗証情報入力装置の配列決定手段及び表示制御手段として、請求項４〜６のいずれか一項に記載の暗証情報入力方法として、コンピュータを機能させるプログラム。
【発明の詳細な説明】
【技術分野】
【０００１】
本発明は、暗証情報の入力に関する。
【背景技術】
【０００２】
現金自動預け払い機（Automated Teller Machine、以下「ＡＴＭ」という）が普及している。ＡＴＭは、銀行だけでなく、コンビニエンスストア等にも設置されてようになってきた。また、２４時間利用できるＡＴＭも、増えてきている。
【０００３】
このようなＡＴＭでは、現金を引き出すとき等、所定桁（例えば４桁）の暗証番号を入力する必要がある。この暗証番号の入力は、例えば、タッチパネルを利用して行われる。タッチパネルは、表示装置と一体になっているのが一般的である。したがって、画面に表示されるボタン画像に触れることで、暗証番号の入力が実現される。また、画面に表示されるボタン画像は、例えば縦３列、横４行というようなマトリックス状に並んでいる。したがって、ボタン画像の中から所望のものを探し出すことも容易である。
【０００４】
ところで、ＡＴＭが普及してきた昨今では、その利便性から、図５に示すように、ＡＴＭ１の前に大勢の行列３ができることも珍しくない。結果として、操作者２の腕や指の動きを後ろから覗き見ることにより不正者によって暗証番号が盗まれるという事態が懸念される。暗証番号が不正者によって盗まれると、スキミング等の不正な手段で作られる偽造カードを利用して、現金が引き出されることにもなりかねない。
【０００５】
そこで、例えば、暗証番号が１桁入力される度に、ボタン画像に表示される数字の配列を変更する装置が提案されている（例えば、特許文献１参照）。この装置によれば、ボタン画像の一つが選択操作される度に数字配列が変わるため、たとえ後ろから覗き見られたとしても、暗証番号が盗まれることを抑止できる。
【先行技術文献】
【特許文献】
【０００６】
【特許文献１】特開２００３−１９６００６号公報
【発明の概要】
【発明が解決しようとする課題】
【０００７】
しかしながら、上記特許文献１に記載されるようにボタン画像の選択操作の度に数字配列を変えると、所望のボタン画像を操作者が探し出すのに要する時間が大きくなってしまう虞がある。また、入力間違いが生じやすくなる虞もある。結果として、円滑なＡＴＭの利用の妨げになることが懸念される。
【０００８】
本発明は、上述した問題を解決するためになされたものであり、例えば暗証番号等の暗証情報が推測されにくく、しかも、暗証情報の入力操作が容易な暗証情報入力装置を提供することを目的とする。
また、本発明は、暗証情報が推測されにくく、しかも、暗証情報の入力操作が容易な暗証情報入力方法を提供することを目的とする。
さらにまた、本発明は、暗証情報入力装置としての機能を、また、暗証情報入力方法をコンピュータシステムにて実現するためのプログラムを提供することを目的とする。
【課題を解決するための手段】
【０００９】
請求項１に記載の暗証情報入力装置は、情報を表示画面に表示可能であると共に表示画面へのタッチ操作を感知して情報を入力可能である表示入力手段と、暗証情報の入力要求に際し、当該暗証情報の入力に用いられる予め定められた複数の記号をランダムに並べ替えて記号配列を決定する配列決定手段と、配列決定手段にて決定された記号配列で、表示画面の所定位置に表示されるボタン画像に対応付けて記号を表示する表示制御手段とを備え、配列決定手段は、表示入力手段を介した暗証情報の入力が終了するまで、決定した記号配列を維持することを特徴とする。
【００１０】
本発明では、表示入力手段によって、情報が表示画面に表示される。また、表示入力手段によって、表示画面へのタッチ操作が感知され情報が入力される。
配列決定手段は、暗証情報の入力要求に際し、当該暗証情報の入力に用いられる予め定められた複数の記号をランダムに並べ替えて記号配列を決定する。
【００１１】
ここで「暗証情報」とは、本人であることを証明する予め登録しておいた秘密の記号を意味する。この秘密の記号の入力に用いられるのが、ここでいう「複数の記号」である。
例えば請求項２に示すように、暗証情報は、暗証番号であることとしてもよい。このとき、複数の記号は、「０」〜「９」までの１０個の数字とすることが考えられる。この場合、記号配列は、「０」〜「９」の１０個の数字の配列となる。
【００１２】
記号配列が決定されると、表示制御手段によって、表示画面の所定位置に表示されるボタン画像に対応付けて記号が表示される。ここで「対応付けて」としたのは、ボタン画像に重ねて記号を表示する場合だけでなく、ボタン画像との対応が分かる近い位置に表示する態様を含める趣旨である。
【００１３】
ここで特に本発明では、表示入力手段を介した暗証情報の入力が終了するまで、決定した記号配列が配列決定手段によって維持される。具体的に暗証番号の例で言えば、例えば４桁の暗証番号のすべてが入力されるまで、ボタン画像に対応付けた数字の配列が維持されるという具合である。
【００１４】
このようにすれば、一つの記号が入力される度に記号配列が変更される構成と異なり、操作者が所望のボタン画像を探し出すまでの時間を短縮することができ、また、操作者による入力操作の間違いを低減することができる。しかも、暗証番号の要求に際して記号配列を異ならせるため、例えば操作者が変わったときには記号配列が異なるものとなるため、たとえ背後から指や腕の動きを見られたとしても、暗証情報が盗まれてしまうことを抑止できる。
【００１５】
なお、このような暗証情報入力装置は、請求項３に示すように、現金自動預け払い機に適用することが考えられる。上述した通り、現金自動預け払い機は、ＡＴＭと称され、今や我々の生活になくてはならないものとなっている。ただし、便利な反面、背後から指の動きを見られることで暗証情報を盗まれる虞がある等、セキュリティー強化が重要視されている。したがって、本発明を現金自動預け払い機に適用することで、近年のＡＴＭ事情に合致する大きな効果が奏される。
【００１６】
以上、暗証情報入力装置の発明として説明してきたが、請求項４に示すような暗証情報入力方法の発明として実現することもできる。
すなわち、請求項４に示す暗証情報入力方法は、情報を表示画面に表示可能であると共に表示画面へのタッチ操作を感知して情報を入力可能である表示入力手段を介し、暗証情報を入力する際に用いる暗証情報入力方法であって、次の手順（１）〜（３）の処理を含むことを特徴とする。
【００１７】
手順（１）では、暗証情報の入力に用いられる予め定められた複数の記号をランダムに並べ替えて記号配列を決定する。
手順（２）では、決定された記号配列で、表示画面の所定位置に表示されるボタン画像に対応付けて記号を表示する。
手順（３）では、表示入力手段を介した暗証情報の入力が終了するまで、決定した記号配列を維持する。
【００１８】
このような暗証情報入力方法によっても、上述した暗証情報入力装置と同様の効果が奏される。また、上述した暗証情報入力装置と同様、請求項５に示すように、暗証情報として暗証番号を用い、「０」〜「９」の数字を用いることとしてもよい。さらにまた、請求項６に示すように、ＡＴＭに適用することが考えられる。
【００１９】
ところで、このような暗証情報入力装置の機能及び暗証情報入力方法は、コンピュータシステムにて実現される。したがって、請求項７に示すようなプログラムの発明として実現することができる。このプログラムは、上記暗証情報入力装置の配列決定手段及び表示制御手段として、又は、上記暗証情報入力方法として、コンピュータを機能させるものである。
【図面の簡単な説明】
【００２０】
【図１】一実施形態のＡＴＭの概略構成を示すブロック図である。
【図２】一実施形態のＡＴＭにおける入力処理を示すフローチャートである。
【図３】一実施形態のＡＴＭの表示画面を例示する説明図である。
【図４】番号配列のランダムな変更を示すための説明図である。
【図５】従来の問題を示すための説明図である。
【発明を実施するための形態】
【００２１】
以下、本発明をＡＴＭに適用した一実施形態を図面に基づいて説明する。
図１に示すように、ＡＴＭ１は、制御部１０と、表示部２０と、タッチパネル３０と、カード読取部４０と、印字部５０とを備えている。
【００２２】
制御部１０は、ＡＴＭ１全体の制御を司るいわゆるコンピュータシステムであり、ＣＰＵ、ＲＯＭ、ＲＡＭ、Ｉ／Ｏ及びこれらを接続するバスライン等を備えている。
表示部２０は、操作のための指示等が表示されるカラー液晶モニタである。この表示部２０の表示画面は、表示画面から垂直に近い方向へ光を射出する構造となっている。これにより、たとえ背後にいる者が表示画面を覗き見ても、表示画面を斜めから見た場合には、表示画面の映像を見ることはできない。
【００２３】
タッチパネル３０は、感圧素子などを用いて構成された透明板である。このタッチパネル３０は、表示部２０と一体に構成されている。これにより、操作者は、表示部２０に表示されるボタン画像に触れることで、タッチパネル３０を介して入力操作を行うことができる。
【００２４】
カード読取部４０は、例えばキャッシュカードを読み取るためのカードリーダ等で構成されている。これにより、磁気的に記録された情報がカードから読み取られる。
印字部５０は、現金の預け入れ、引き出し、振り込み等の取引の履歴を記録する部分である。具体的には、印字機能を有しており、レシート発行等を行う。
【００２５】
次に、本実施形態の特徴部分である入力処理を、図２に基づいて説明する。本入力処理は、画面がタッチされる等の操作者による取引開始要求があると、制御部１０によって実行される。
【００２６】
最初のステップ（以下、「ステップ」を単に記号Ｓで示す）１００において、ボタン表示が行われる。この処理は、表示部２０に、各種取引に対応する選択ボタンの画像を表示するものである。例えば、「預け入れ」、「払い出し」、「振り込み」などの選択ボタンが表示されるという具合である。
【００２７】
続くＳ１１０では、カードの読み取りを行う。この処理は、要求に応じて操作者がカード読み取り口にカードを挿入すると実行されるものである。挿入されたカードの情報は、カード読取部４０から読み取られる。
【００２８】
次のＳ１２０では、暗証番号を要求するか否かを判断する。Ｓ１００にて選択された取引に本人確認が必要な場合には、肯定判断される。ここで暗証番号を要求する場合（Ｓ１２０：ＹＥＳ）、Ｓ１３０へ移行する。一方、暗証番号を要求しない場合（Ｓ１２０：ＮＯ）、Ｓ１３０〜Ｓ１５０の処理を実行せず、Ｓ１６０へ移行する。
【００２９】
Ｓ１３０では、「０」〜「９」の１０個の数字をランダムに並べ替える。この処理は、暗証番号の入力に利用される１０個の数字をランダムに並べ替え、数字配列を決定するものである。
【００３０】
Ｓ１４０では、ボタン画像と共に、並べ替えた「０」〜「９」の数字を表示する。例えば、図３に示す如くである。図３では、表示画面２１に、１０個のボタン画像２２が表示されている。１０個のボタン画像２２は、縦３列横４行で配置されており、４行目は中央にのみ配置されている。また、図３では、表示画面２１の下部に、桁数確認欄２３と、ＯＫボタン２４とが表示されている。
【００３１】
ボタン画像と共に数字が表示されると、操作者は、暗証番号を入力する。このとき、表示部２０に表示されたボタン画像２２に触れることで、タッチパネル３０を介して数字の入力が行われる。桁数確認欄２３には、「＊」（アスタリスク）が表示され、入力した数字の桁数が確認できるようになっている。操作者は、ＯＫボタン２４に触れて、暗証番号入力を終了する。
【００３２】
Ｓ１４０に続くＳ１５０では、予定される桁数の暗証番号の入力が終了したか否かを判断する。ここで、入力が終了したと判断された場合（Ｓ１５０：ＹＥＳ）、Ｓ１６０へ移行する。一方、入力が終了していないうちは（Ｓ１５０：ＮＯ）、この判断処理を繰り返す。これにより、入力が終了していないうちは、数字の並べ替えは行われないようになっている。
【００３３】
Ｓ１２０で否定判断された場合及びＳ１５０で肯定判断された場合に移行するＳ１６０では、各種処理を実行する。この処理は、Ｓ１００にて選択された取引内容に対応する処理である。なお、この処理の中に、図１に示した印字部５０によるレシート発行などの処理が含まれる。Ｓ１６０の処理終了後、本入力処理を終了する。
【００３４】
その後、操作者が交替した場合など、本入力処理が再び実行されると、暗証番号を要求する際には（Ｓ１２０：ＹＥＳ）、「０」〜「９」の数字がランダムに並び替えられ（Ｓ１３０）、表示されることになる（Ｓ１４０）。
【００３５】
このように本実施形態では、図４中の左側に示すような基本パターンに対し、暗証番号の入力に際し、その都度、パターンＡ、・・・、パターンＮ、・・・という具合に、数字配列がランダムに決定される（図２中のＳ１３０及びＳ１４０）。一方で、暗証番号の入力が終了していないうちは（Ｓ１５０：ＮＯ）、決定された数字配列が維持される。
【００３６】
このようにすれば、一つの数字を入力する度に数字配列が変更される構成と異なり、操作者が所望のボタン画像２２（図３参照）を探し出すまでの時間を短縮することができる。また、操作者による入力操作の間違いを低減することができる。しかも、暗証番号の要求に際して数字配列が異なるものとなるため、例えば操作者が変わったときには数字配列が異なり、たとえ背後から指や腕の動きを見られたとしても、暗証番号が盗まれてしまうことを抑止できる。
【００３７】
また、本実施形態は、ＡＴＭの暗証番号入力に発明を適用したものである。ＡＴＭは、今や我々の生活になくてはならないものとなっている。ただし、便利な反面、背後から指の動きを見られることで暗証番号を盗まれる虞がある等、セキュリティー強化が重要視されている。したがって、本実施形態によれば、近年のＡＴＭ事情に合致する大きな効果が奏される。
【００３８】
なお、本実施形態におけるＡＴＭ１が「暗証情報入力装置」を構成し、表示部２０及びタッチパネル３０が「表示入力手段」を構成し、制御部１０が「配列決定手段」及び「表示制御手段」を構成する。
【００３９】
また、図２中のＳ１２０、Ｓ１３０及びＳ１５０の処理が「配列決定手段」としての処理に相当し、Ｓ１４０の処理が「表示制御手段」としての処理に相当する。
さらにまた、図２に示した入力処理が「暗証情報入力方法」を具現化する処理であり、Ｓ１３０の処理が「手順（１）」に相当し、Ｓ１４０の処理が「手順（２）」に相当し、Ｓ１５０の処理が「手順（３）」に相当する。
【００４０】
以上、本発明は、上記実施形態に何等限定されるものでなく、その趣旨を逸脱しない範囲において種々なる形態で実施できる。
【符号の説明】
【００４１】
１：ＡＴＭ、２：操作者、３：行列、１０：制御部、２０：表示部、２１：表示画面、２２：ボタン画像、２３：桁数確認欄、２４：ＯＫボタン、３０：タッチパネル、４０：カード読取部、５０：印字部
【図１】
2011008427.tif 000003
【図２】
2011008427.tif 000004
【図３】
2011008427.tif 000005
【図４】
2011008427.tif 000006
【図５】
2011008427.tif 000007